(57)【要約】【課題】任意の位置に取付部材が取付固定されることが求められている。【解決手段】各種機器を載置する複数の棚板を有する架台装置において、棚板を取付固定する支柱１２と、この支柱に設けられ、対向する平行平面を有する部材固定溝２８と、この部材固定溝の平行平面に形成された直線状のネジ山２９と、この直線状のネジ山に螺合する雄ネジ３０とにより、支持部材３０が任意に取付固定される部材固定装置。【選択図】      図１
2004225875.tif 000002
【特許請求の範囲】
【請求項１】
雄ネジの谷の径と同等幅で対向設置された平面を有する一対の平面部材と、
この平面部材の対向配置されたそれぞれの平面に、直線状のネジ山を形成されたネジ山部と、
を具備したことを特徴とする部材固定装置。
【請求項２】
前記ネジ山部の直線状のネジ山は、前記平面部材の対向設置された平面相互間で半ピッチずらして形成されていることを特徴とする請求項１記載の部材固定装置。
【発明の詳細な説明】
【０００１】
【発明の属する技術分野】
本発明は、各種部材を取付固定する固定装置に関し、特に各種医療器具や機器等を載置する複数の棚板を有する医療用架台において、各種医療器具や機器の補助具等を固定保持する部材固定装置に関する。
【０００２】
【従来の技術】
従来、医療分野で患部の診断や治療に内視鏡装置や超音波診断装置等の医療用電子機器が用いられている。
【０００３】
さらに、内視鏡装置は、高画素数の固体撮像素子の開発により、体腔内に挿入される挿入部先端に固体撮像素子を内蔵させ、その固体撮像素子で撮像生成された撮像画像を基に体腔内患部の診断や治療を行う電子内視鏡装置が主流となっている。
【０００４】
この電子内視鏡装置は、前述した挿入部先端に固体撮像素子を内蔵させた内視鏡と、この固体撮像素子を駆動制御すると共に、撮像生成された撮像信号を所定の信号処理を行いテレビ映像信号を生成する内視鏡駆動制御機器であるビデオプロセッサ、前記内視鏡挿入部先端から観察部位に投射させる照明光を生成して内視鏡に供給する光源機器、前記ビデオプロセッサで生成されたテレビ映像信号を基に撮像映像を表示するモニター、前記ビデオプロセッサで生成されたテレビ映像信号を記録する記録機器、及び内視鏡装置に設けられた処置具チャンネルを介して患部の処置を行う処置具を駆動制御する処置具制御機器等から構成されている。
【０００５】
この電子内視鏡装置は、内視鏡を保持する内視鏡用ハンガーや、前記ビデオプロセッサ、光源機器、モニター、及び処置具制御機器等を載置する複数段の棚板を有する架台に収納載置され、且つ、この架台にキャスターを設けることで、自由に診断治療場所を移動できるようになっている。
【０００６】
また、前記電子内視鏡装置は、診断治療する被検体である患者の氏名、年齢、性別、及び診断実施年月日等の被検体情報（以下、患者情報と称する）や前記ビデオプロセッサなどの各種機器の設定情報などを入力するための入力用キーボードが設けられ、この入力用キーボードから入力された患者情報は、前記モニターに表示されると共に、前記記録機器に内視鏡で撮像生成されたテレビ映像信号と共に記録されるようになっている。
【０００７】
前記入力用キーボードや、モニター機器、及び各種医療機器等を載置される医療用架台装置が提案されている（例えば、特許文献１及び２参照）。
【０００８】
【特許文献１】
実開平１０−２８６２１９号公報。
【０００９】
【特許文献２】
米国特許登録番号第５，７６５，５６５号公報。
【００１０】
【発明が解決しようとする課題】
前記特許文献１及び２に提案されている内視鏡機器カートである架台は、略箱状に形成され、底板と頂板と、この底板と頂板を連結する柱状又は板状若しくは梁状の４つのフレームと、このフレームに取り付けられ、かつ、前記底板と頂板との間に複数の棚板が取付可能となっている。
【００１１】
前記底板と頂板の間に取り付けられる棚板は、前記４つのフレームに棚板固定用ネジで取付固定されるようになっている。
【００１２】
この架台の全体強度や変形防止のために、４つのフレームが不可欠で、かつ、フレーム位置も、底板、頂板、棚板の後端面と、両側端面の前面側部分の少なくとも３辺、又は両側端面の前後端部分が取付固定できるようになっている。
【００１３】
このため底板や棚板に各種機器を載置する際には、底板や棚板のフレームが設置されていない前端面側からのみ収納載置するようになっており、底板や棚板への機器載置方向が制約される。
【００１４】
また、架台に載置収納された各種機器の補助具等も架台の周辺部保持支持させる保持部材を着脱自在に設けられることが望まれている。
【００１５】
本発明は、上記事情に鑑みなされたもので、架台に対して各種機器を少なくとも３方向から載置収納が可能で、かつ、架台の強度を十分得られると共に、架台の周辺部に補助具等の保持部材が着脱自在に設けられる部材固定装置を提供することを目的としている。
【００１６】
【課題を解決するための手段】
本発明の部材固定装置は、雄ネジの谷の径と同等幅で対向設置された平面を有する一対の平面部材と、この平面部材の対向配置されたそれぞれの平面に、直線状のネジ山を形成されたネジ山部と、を具備したことを特徴とする。
【００１７】
本発明の部材固定装置の前記ネジ山部の直線状のネジ山は、前記平面部材の対向設置された平面相互間で半ピッチずらして形成されていることを特徴とする。
【００１８】
本発明の部材固定装置は、支柱のいかなる位置にも部材のネジ止め固定が可能となった。
【００１９】
【発明の実施の形態】
以下、図面を参照して本発明の実施の形態について詳細に説明する。図１は本発明に係る部材固定装置を一実施形態を示す斜視図、図２は本発明に係る部材固定装置の一実施形態を示し、図２（ａ）は図１のＸ−Ｘ切断線から切断した断面図、図２（ｂ）は部材固定装置である対向面に形成されたネジ山のピッチを説明する説明図、図３は本発明に係る部材固定装置を用いる医療用架台装置を説明する斜視図である。
【００２０】
最初に、図３を用いて本発明に係る部材固定装置を用いる医療用架台装置の全体構成を説明する。架台１１は、断面形状が略Ｌ状の２本の支柱１２ａ，１２ｂの上端に上面棚板１３、下端に底面棚板１４とがそれぞれ取付固定されている。上面棚板１３と底面棚板１４の後面側の２辺が前記支柱１２ａ，１２ｂのＬ字部分でそれぞれ取付固定されている。つまり、上面棚板１３と底面棚板１４の前面側は、前面と、側面の略２／３位の部分は何ら支柱もなく物品の収納載置が可能となっている。
【００２１】
なお、底面棚板の下面の４つの角部分には、キャスター２４ａ〜２４ｄが設けられて、架台１１が移動可能となっている。
【００２２】
また、前記上面棚板１３の前面の２つの角部分には、把手２２ａ，２２ｂが設けられている。つまり、この把手２２ａ，２２ｂを把持し、キャスター２４ａ〜２４ｄにより架台１１が移動可能となっている。
【００２３】
さらに、前記支柱１２ａ，１２ｂの上端の略Ｌ字形状の角部分には、モニター支柱１８と、内視鏡ハンガー支柱２１が装着できる筒状部が一体的に形成されている。
【００２４】
前記モニター支柱１８には、モニター台１９が設けられており、このモニター台１９にモニター２０が載置されるようになっている。
【００２５】
また、前記内視鏡ハンガー支柱２１には、内視鏡ハンガー２５が設けられており、この内視鏡ハンガー２５に図示していない内視鏡が保持されるようになっている。
【００２６】
さらに、前記上面棚板１３の一方の側面には、前記内視鏡ハンガー２５に保持された内視鏡のケーブルコネクタが装着保持されるコネクタホルダー２３ａ，２３ｂが設けられている。
【００２７】
前記上面棚板１３と底面棚板１４との間には、第１中間棚板１５と第２中間棚板１６とがそれぞれ前記支柱１２ａ，１２ｂに取付固定されている。なお、この第１と第２中間棚板１５，１６は、前記支柱１２ａ，１２ｂの任意の位置に取付固定可能となっている。つまり、第１と第２中間棚板１５，１６に載置される機器の高さによって、支柱１２ａ，１２ｂへの取付固定位置が変更可能となっている。
【００２８】
前記上面棚板１３には、内視鏡診断時に用いる各種医薬品やガーゼ等の診断補助部材が載置される。
【００２９】
前記第１中間棚板１５には、図示していない内視鏡に設けられているライトガイドファイバーに照明光を生成供給する光源機器と、内視鏡に内蔵されている固体撮像素子を駆動制御すると共に、固体撮像素子で撮像生成された撮像信号を取り込み所定の信号処理を行って前記モニター２０に表示するテレビ映像信号を生成処理するビデオプロセッサが載置される。
【００３０】
前記第２の中間棚板１６には、前記内視鏡に設けられている処置具挿通チャンネルに挿通させた各種処置具により体腔内患部の検体採取や治療の際に、その処置具を駆動制御させる処置具駆動制御機器が載置される。
【００３１】
また、前記底面棚板１４には、前記第１中間棚板１５に載置されているビデオプロセッサで生成されたテレビ映像信号を記録するビデオカセットレコーダなどの記録機器が載置される。
【００３２】
前記第１中間棚板１５の上方で、前記上面棚板１３の下面側近傍には、入力端末トレー１７が配置されている。この入力端末トレー１７には、内視鏡診断治療を行う患者情報や架台１１に載置されているビデオプロセッサなどの各種機器の設定情報等を入力するためのキーボード、又はタッチパネル等が載置されるようになっている。
【００３３】
この入力端末トレー１７は、前記上面棚板１３の載置領域の下面側に収納可能で、且つ、必要に応じて、前記上面棚板１３の載置領域の外周の任意の位置に引き出し可能となっている。
【００３４】
このような内視鏡用架台装置の架台１１を構成する支柱１２ａ，１２ｂについて図１を用いて説明する。なお、支柱１２ａ，１２ｂの構成は対称であるために支柱１２ｂを例として説明する。
【００３５】
この支柱１２ｂは、断面が略Ｌ字状に形成された側面部２６と後面部２７と、この略Ｌ字状に形成された側面部２６と後面部２７の外側には、図示していないが異なる形状に形成された複数の筒状部と、この筒状部に設された前記モニター支柱１８が嵌合装着されるモニター支柱円筒と、このモニター支柱円筒に連設され、前記内視鏡ハンガー支柱２１が嵌合装着されるハンガー支柱円筒とが設けられている。
【００３６】
また、前記側面部２６と前記後面部２７の内面側には、棚板固定ネジ板装着溝４０，４１が設けられ、棚板固定ネジ板４２，４３が装着されるようになっている。
【００３７】
前記支柱１２ｂの後面部２７の前記支柱１２ａと対向する面２７ａには、支柱１２ｂの長手方向に平行に形成された一対の部材固定溝２８ａ，２８ｂが設けられている。
【００３８】
この部材固定溝２８ａ，２８ｂには、部材３０に設けられたネジ挿通孔３１ａ，３１ｂを介して、固定用雄ネジ３２が螺合されるようになっている。
【００３９】
この部材３０は、図中矩形状の平板で示しているが、前記架台１１の棚板１３〜１６に載置されている各種機器を接地するための接地中継接続板や、各種機器の駆動電源コードの支持整理する支持具等で、支柱１２ｂの任意の位置に取付可能となっている。
【００４０】
この部材固定溝２８の形状構成について図２を用いて詳述する。部材固定溝２８は、対向する平面３３ａ，３３ｂに支柱１２の長手方向に直線状のネジ山２９ａ，２９ｂが設けられている。この対向する平面の間隔寸法は、固定用雄ネジ３２のネジ外径と略同寸法に設定され、かつ、直線上のネジ山２９ａ，２９ｂは固定用雄ネジ３２のネジ山ピッチと同じ間隔に形成されている。さらに、対向面３３ａに設けられたネジ山２９ａと、対向面３３ｂに設けられたネジ山２９ｂとは、ネジ山の半ピッチ（０．５Ｐ）分ずらして設けられている。
【００４１】
これにより、前記部材３３のネジ挿通孔３１を介して、固定用雄ネジ３２を前記部材固定溝２８に装着させると、固定用雄ネジ３２のネジ山と、部材固定溝２８の対向面３３ａ，３３ｂに設けられたネジ山２９ａ，２９ｂとが螺合して、部材３０が支柱１２ｂに取付固定が可能となる。
【００４２】
つまり、部材固定溝２８が支柱の長手方向に形成することで、この部材固定溝２８の任意の位置に部材の取付が可能となる。
【００４３】
なお、本発明の部材固定装置は、支柱１２に設けられた部材固定溝２８として説明したが、溝である必要はなく、固定用雄ネジのネジ外径と同一寸法の間隔で対向配置させた平行平面に直線上のネジ山を形成させても良いことは明らかである。
【００４４】
［付記］
以上詳述した本発明の実施形態によれば、以下のごとき構成を得ることができる。
【００４５】
（付記１）  雄ネジの谷の径と略同等幅で対向設置された平行平面を有する一対の平面部材と、
この平面部材の対向配置されたそれぞれの平行平面に直線状のネジ山を形成されたネジ山部と、
を具備したことを特徴とする部材固定装置。
【００４６】
（付記２）  前記ネジ山部の直線状のネジ山は、前記平面部材の対向設置された平面相互間で半ピッチずらして形成されていることを特徴とする付記１記載の部材固定装置。
【００４７】
（付記３）  部材の対向する平行平面を有する溝部と、
この溝部の平行平面に形成されたネジ山と、
を具備したことを特徴とする部材固定装置。
【００４８】
（付記４）  各種医療機器を載置する複数の棚板を有する医療用架台装置において、前記棚板を取付固定する支柱と、
この支柱に設けられ、対向する平行平面を有する溝部と、
この溝部の平行平面に形成されたネジ山と、
この溝部に形成されたネジ山と螺合する雄ネジと
を具備したことを特徴とする部材固定装置。
【００４９】
【発明の効果】
本発明の部材固定装置は、対向する平行平面にネジ山を設ける簡素の形状構造で、任意の位置に部材の取付固定が可能で、部材の取付固定構造の簡素化と作業効率が向上する効果がある。
【図面の簡単な説明】
【図１】本発明に係る部材固定装置の一実施形態の構成を示す斜視図。
【図２】本発明に係る部材固定装置の一実施形態の説明図で、図２（ａ）は断面図、図２（ｂ）は拡大説明図。
【図３】本発明に係る部材固定装置を用いた医療用架台装置を説明する斜視図。
【符号の説明】
１１…架台
１２…支柱
１３…上面棚板
１４…底面棚板
１５…第１中間棚板
１６…第２中間棚板
１８…モニター支柱
２１…内視鏡ハンガー支柱
２６…側面部
２７…後面部
２８…部材固定溝
２９…直線状ネジ山
３０…支持部材
３２…固定用雄ネジ
【図１】
2004225875.tif 000003
【図２】
2004225875.tif 000004
【図３】
2004225875.tif 000005
【手続補正書】
【提出日】平成15年3月14日(2003.3.14)
【手続補正１】
【補正対象書類名】明細書
【補正対象項目名】請求項１
【補正方法】変更
【補正の内容】
【請求項１】
雄ネジの谷の径と略同等幅で対向設置された平面を有する一対の平面部材と、
この平面部材の対向配置されたそれぞれの平面に、直線状のネジ山を形成されたネジ山部と、
を具備したことを特徴とする部材固定装置。